(57)【要約】【課題】多数のネクタイを容易に掛外しすることができるとともに、収納時に場所を取らず、かつ、掛けたネクタイが選びやすいネクタイ用ハンガーを提供する。【解決手段】このネクタイ用ハンガーでは、ネクタイ掛部２が、本体部１に回動可能に取り付けられる取付部２１と、取付部２１にその長手方向に沿って所定間隔で、かつ、側方へ延びるように突設された複数の掛棒２２とを有しているとともに、取付部２１の長手方向が本体部１の長手方向と揃うように配置される第１位置と、取付部２１の長手方向が本体部１の長手方向に対して斜めに配置される第２位置との間で取付部２１の長手方向中央部に位置する軸部２４を中心として回動可能に構成されている。【選択図】図１
0003118933.tif 000002
【実用新案登録請求の範囲】
【請求項１】
本体部に回動可能に支持されるネクタイ掛部を備えたネクタイ用ハンガーであって、
前記ネクタイ掛部が、前記本体部に回動可能に取り付けられる取付部と、前記取付部にその長手方向に沿って所定間隔で、かつ、側方へ延びるように突設された複数の掛棒とを有しているとともに、前記取付部の長手方向が前記本体部の長手方向と揃うように配置される第１位置と、前記取付部の長手方向が前記本体部の長手方向に対して斜めに配置される第２位置との間で前記取付部の長手方向中央部に位置する所定の軸を中心として回動可能に構成されている、ネクタイ用ハンガー。
【請求項２】
前記ネクタイ掛部は、前記本体部の両側面にそれぞれ取り付けられており、
一対の前記ネクタイ掛部は、それぞれ、前記第１位置から前記第２位置へ互いに逆方向へ回動し、前記第２位置において互いの前記取付部の長手方向が交差するように配置される、請求項１に記載のネクタイ用ハンガー。
【請求項３】
前記本体部および前記ネクタイ掛部の一方は、前記第１位置と前記第２位置との間の角度に応じた中心角を有する略円弧状の溝部を含み、
前記本体部および前記ネクタイ掛部の他方は、前記ネクタイ掛部が前記第１位置から前記第２位置へ回動する際、前記溝部内を前記溝部の端部に当接するまで移動する突起部を有する、請求項１または２に記載のネクタイ用ハンガー。
【請求項４】
前記本体部および前記ネクタイ掛部の一方には、凹部が設けられているとともに、前記本体部および前記ネクタイ掛部の他方には、前記ネクタイ掛部が前記第１位置に位置するときに前記凹部と係合する凸部が設けられている、請求項１〜３のいずれか１項に記載のネクタイ用ハンガー。
【請求項５】
前記本体部に沿うように折畳み可能に設けられ、任意の箇所に引掛けるためのフック部をさらに備える、請求１〜４のいずれか１項に記載のネクタイ用ハンガー。
【請求項６】
前記複数の掛棒のそれぞれに対して所定間隔を隔てて配置されるとともに、前記掛棒に沿って前記取付部の側方へ延びるように突設され、前記掛棒との間でネクタイを挟持するネクタイ止部をさらに備える、請求項１〜５のいずれか１項に記載のネクタイ用ハンガー。
【考案の詳細な説明】
【技術分野】
【０００１】
本考案は、ネクタイを掛けるためのネクタイ用ハンガーに関するものである。
【背景技術】
【０００２】
従来、ネクタイを掛けるためのネクタイ用ハンガー（ネクタイ掛）が知られている（たとえば、特許文献１参照）。
【０００３】
上記特許文献１に開示された従来のネクタイ用ハンガーは、ネクタイを掛けるための多数の掛棒が両側面に突設された支持杆を備えており、その支持杆の両側から多数のネクタイを容易に掛外しすることができるように構成されている。そして、この従来のネクタイ用ハンガーでは、支持杆が垂下状態と水平状態との間で回動可能に構成されている。これにより、ネクタイの収納時にはネクタイを掛けた支持杆を垂下状態にして場所を取らないようにすることができるとともに、ネクタイを掛外しするときには支持杆を水平状態にして各掛棒に掛けられたネクタイを分離させ、ネクタイを掛外ししやすい状態にすることができるようになっている。
【特許文献１】実公昭３６−２６９３５号公報
【考案の開示】
【考案が解決しようとする課題】
【０００４】
しかしながら、上記特許文献１に開示された従来のネクタイ用ハンガーでは、支持杆を水平状態にした際に各掛棒に掛けられたネクタイが正面から見て重なってしまうので、ネクタイを選びにくいという問題点がある。
【０００５】
本考案は、上記のような課題を解決するためになされたものであり、その目的は、多数のネクタイを容易に掛外しすることができるとともに、収納時に場所を取らず、かつ、掛けたネクタイが選びやすいネクタイ用ハンガーを提供することである。
【課題を解決するための手段】
【０００６】
上記目的を達成するために、本考案のネクタイ用ハンガーは、本体部に回動可能に支持されるネクタイ掛部を備えたネクタイ用ハンガーであって、ネクタイ掛部が、本体部に回動可能に取り付けられる取付部と、取付部にその長手方向に沿って所定間隔で、かつ、側方へ延びるように突設された複数の掛棒とを有しているとともに、取付部の長手方向が本体部の長手方向と揃うように配置される第１位置と、取付部の長手方向が本体部の長手方向に対して斜めに配置される第２位置との間で取付部の長手方向中央部に位置する所定の軸を中心として回動可能に構成されている。
【０００７】
このネクタイ用ハンガーでは、ネクタイ掛部が取付部の長手方向に沿って所定間隔で、かつ、側方へ延びるように突設された複数の掛棒を有しているので、この複数の掛棒のそれぞれに側方から個別にネクタイを差し込んだり抜いたりすることができる。これにより、多数のネクタイを容易に掛外しすることができる。また、このネクタイ用ハンガーでは、ネクタイ掛部が取付部の長手方向が本体部の長手方向と揃うように配置される第１位置と、取付部の長手方向が本体部の長手方向に対して斜めに配置される第２位置との間で取付部の長手方向中央部に位置する所定の軸を中心として回動可能に構成されているので、ネクタイを掛けて衣装ケース等に収納する際にはネクタイ掛部を第１位置に配置して場所を取らないようにすることができる一方、ネクタイを掛外しする際にはネクタイ掛部を第２位置に配置して各掛棒に掛けられたネクタイを分離させて、ネクタイを掛外ししやすくすることができる。さらに、ネクタイ掛部を第２位置に配置することによって、各掛棒に掛けられたネクタイの位置を上下にずらすことができるので、正面から見て各掛棒に掛けられたネクタイが完全には重ならず、それらのネクタイの柄を見ることができる。このため、複数のネクタイを掛けた状態でもネクタイを選びやすくすることができる。
【０００８】
上記ネクタイ用ハンガーにおいて、ネクタイ掛部は、本体部の両側面にそれぞれ取り付けられており、一対のネクタイ掛部は、それぞれ、第１位置から第２位置へ互いに逆方向へ回動し、第２位置において互いの取付部の長手方向が交差するように配置されるのが好ましい。このように構成すれば、ネクタイ掛部が本体部の両側面にそれぞれ取り付けられているので、より多くのネクタイを掛けることができる。また、一対のネクタイ掛部は、それぞれ、第１位置から第２位置へ互いに逆方向へ回動し、第２位置において互いの取付部の長手方向が交差するように配置されるので、一対のネクタイ掛部がそれぞれ第２位置に配置されたときに重量バランスを取りやすくすることができる。
【０００９】
上記ネクタイ用ハンガーにおいて、本体部およびネクタイ掛部の一方は、第１位置と第２位置との間の角度に応じた中心角を有する略円弧状の溝部を含み、本体部およびネクタイ掛部の他方は、ネクタイ掛部が第１位置から第２位置へ回動する際、溝部内を溝部の端部に当接するまで移動する突起部を有するのが好ましい。このように構成すれば、ネクタイ掛部を第１位置から第２位置に回動させる際、突起部が溝部内を移動するとともに溝部の端部に当接したときにネクタイ掛部を停止させることができるので、ネクタイ掛部を第２位置で容易に停止させることができる。
【００１０】
上記ネクタイ用ハンガーにおいて、本体部およびネクタイ掛部の一方には、凹部が設けられているとともに、本体部およびネクタイ掛部の他方には、ネクタイ掛部が第１位置に位置するときに凹部と係合する凸部が設けられているのが好ましい。このように構成すれば、上記凹部と上記凸部とを係合させることにより、ネクタイ掛部を第１位置で容易に保持することができる。
【００１１】
上記ネクタイ用ハンガーにおいて、本体部に沿うように折畳み可能に設けられ、任意の箇所に引掛けるためのフック部をさらに備えているのが好ましい。このように構成すれば、使用者が任意の箇所にフック部を引掛けることにより、ネクタイ用ハンガーを任意の場所へ持ち運んで使用することができる。さらに、フック部が本体部に沿うように折畳み可能に構成されているので、フック部を折畳んでネクタイ用ハンガーをコンパクトにすることができる。これにより、フック部が設けられていても、複数のネクタイ用ハンガーをまとめて保管しておく場合に場所を取るのを抑制することができる。
【００１２】
上記ネクタイ用ハンガーにおいて、複数の掛棒のそれぞれに対して所定間隔を隔てて配置されるとともに、掛棒に沿って取付部の側方へ延びるように突設され、掛棒との間でネクタイを挟持するネクタイ止部をさらに備えているのが好ましい。このように構成すれば、ネクタイ止部によりネクタイ掛部の掛棒に掛けられたネクタイが脱落するのを抑制することができる。また、ネクタイ止部は、掛棒に対して所定の間隔を隔てて掛棒に沿って取付部の側方へ突設されているので、掛棒の側方からネクタイを掛棒に沿って差し込んだり抜いたりするのを阻害しない。これにより、ネクタイ止部が設けられていても、掛棒の側方からのネクタイの掛外しが阻害されないようにすることができる。
【考案の効果】
【００１３】
以上説明したように、本考案によるネクタイ用ハンガーでは、多数のネクタイを容易に掛外しすることができるとともに、収納時に場所を取らず、かつ、掛けたネクタイを選びやすくすることができる。
【考案を実施するための最良の形態】
【００１４】
以下、本考案の実施形態を図面を参照して説明する。
【００１５】
図１、図２および図３は、それぞれ、本考案の一実施形態によるネクタイ用ハンガーの全体構成を示した斜視図、正面図および側面図であり、図４〜図１１は、そのネクタイ用ハンガーを構成する各部材の構造を示した図である。まず、図１〜図１１を参照して、本考案の一実施形態によるネクタイ用ハンガーの構成について説明する。
【００１６】
本実施形態によるネクタイ用ハンガーは、図１〜図３に示すように、本体部１と、ネクタイ掛部２と、フック受部材３と、フック部４とによって構成されている。
【００１７】
本体部１は、図４に示すように、縦長に形成されており、その下部中央には、本体部１の正面から背面へ貫通する開口部１１が設けられている。そして、この開口部１１と本体部１の両側面との間を貫通するように孔部１２が設けられている。この孔部１２は、後述するネクタイ掛部２の軸部２４を回動可能に支持する。本体部１の両側面の孔部１２の上下には、図５に示すように、ネクタイ掛部２の後述する第１位置Ａと第２位置Ｂ１（Ｂ２）との間の角度に応じた中心角（本実施形態では約４５°）を有する略円弧状の一対の溝部１３ａおよび１３ｂが形成されている。この溝部１３ａおよび１３ｂには、後述するネクタイ掛部２の突起部２５ａおよび２５ｂがそれぞれ遊動可能に嵌合する。
【００１８】
また、本体部１の上部には、フック受部材３を支持する支持部１４が設けられている。この支持部１４は、所定の間隔を隔てて設けられた一対の板状部１４ａと、その板状部１４ａ間を繋ぐように設けられた支持軸１４ｂとによって構成されている。この支持軸１４ｂに後述するフック受部材３の係合部３２が係合することによって、フック受部材３は支持軸１４ｂに回動可能に支持される。また、上記一対の板状部１４ａの外側面には、それぞれ、後述するネクタイ掛部２の凸部２６が係合する円形の凹部１５が形成されている。
【００１９】
本実施形態では、図１に示すように、上記ネクタイ掛部２は本体部１の両側面にそれぞれ取り付けられている。そして、各ネクタイ掛部２は、図６に示すように、取付部２１と、掛棒２２と、ネクタイ止部２３と、軸部２４と、突起部２５ａおよび２５ｂと、凸部２６とを有している。取付部２１は、細長の板状体からなり、取付部２１の一方側面には、その長手方向に沿ってネクタイを掛けるための複数（本実施形態では１０本）の掛棒２２が所定間隔で設けられている。また、これらの複数の掛棒２２は、取付部２１から側方へ延びるように突設されている。
【００２０】
ネクタイ止部２３は、取付部２１の上記一方側面の各掛棒２２の上方に所定間隔を隔てて設けられており、対応する掛棒２２との間でネクタイを挟持する。また、ネクタイ止部２３は、取付部２１から掛棒２２に沿って側方へ突設されている。また、ネクタイ止部２３の中間部から先端部にかけての領域は湾曲しており、この湾曲領域と対応する掛棒２２との間の間隔が狭くなっている。これにより、ネクタイ止部２３と掛棒２２との間でネクタイを挟持するときに、その間隔の狭い領域でネクタイを確実に保持することができるようになっている。
【００２１】
軸部２４は、取付部２１の他方側面の長手方向中央部に突設されている。この軸部２４は本体部１の孔部１２に回動可能に挿入されており、この状態で軸部２４の先端部２４ａは本体部１の開口部１１内に突出している。そして、先端部２４ａは本体部１の孔部１２よりも大径に形成されており、軸部２４の孔部１２からの抜け止め部として機能している。
【００２２】
そして、本実施形態では、図３に示すように、ネクタイ掛部２は、軸部２４を中心として取付部２１の長手方向が本体部１の長手方向と揃うように配置される第１位置Ａと、取付部２１の長手方向が本体部１の長手方向に対して所定角度（本実施形態では約４５°）斜めに配置される第２位置Ｂ１（Ｂ２）との間で回動可能に構成されている。
【００２３】
また、本実施形態では、本体部１の両側面にそれぞれ取り付けられたネクタイ掛部２は、それぞれ、上記第１位置Ａから上記第２位置Ｂ１（Ｂ２）へ互いに逆方向へ回動するように構成されている。すなわち、図３に示すように、一方のネクタイ掛部２は、第１位置Ａから第２位置Ｂ１へ回動し、他方のネクタイ掛部２は、それとは逆方向に第１位置Ａから第２位置Ｂ２へ回動可能に構成されている。そして、両ネクタイ掛部２がそれぞれ第２位置Ｂ１およびＢ２に配置された状態では、図１に示すように、互いの取付部２１の長手方向が交差するように配置される。
【００２４】
なお、上記第１位置Ａでは、ネクタイ掛部２を本体部１に沿って略垂直状態に配置することが可能であり、ネクタイを掛けて衣装ケース等に収納する際にはあまり場所を取らないようにすることが可能である。一方、上記第２位置Ｂ１（Ｂ２）では、ネクタイ掛部２の各掛棒２２に掛けたネクタイを互いに分離させることが可能であり、ネクタイの掛外しがしやすくなる。また、第２位置Ｂ１（Ｂ２）では、掛棒２２の配列が斜めになるので各掛棒２２に掛けたネクタイの位置を上下にずらすことが可能であり、それらの全てのネクタイの柄を正面から見ることが可能となる。
【００２５】
突起部２５ａおよび２５ｂは、図６に示すように、取付部２１の上記他方側面に突設されている。また、この突起部２５ａおよび２５ｂは、図７に示すように、軸部２４を挟んで斜めの対称位置に設けられている。そして、突起部２５ａおよび２５ｂは、本体部１の溝部１３ａおよび１３ｂ（図５参照）にそれぞれ遊動可能に嵌合している。
【００２６】
本実施形態では、図３に示すように、ネクタイ掛部２が軸部２４を中心として上記第１位置Ａから上記第２位置Ｂ１（Ｂ２）に回動する際、突起部２５ａおよび２５ｂは、本体部１の溝部１３ａおよび１３ｂ内を一方の端部から他方の端部側へそれぞれ移動する。そして、突起部２５ａおよび２５ｂが溝部１３ａおよび１３ｂの他方の端部にそれぞれ当接することにより、ネクタイ掛部２の回動が上記第２位置Ｂ１（Ｂ２）で停止するようになっている。
【００２７】
また、凸部２６は、図６に示すように、取付部２１の上記他方側面の上部に突設されており、円形に形成されている。この凸部２６は、ネクタイ掛部２が上記第１位置Ａに配置されたときに本体部１の凹部１５（図５参照）と係合する。
【００２８】
上記フック受部材３は、フック部４を本体部１に連結するためのものであり、図８および図９に示すようにフック取付部３１と、係合部３２とを有している。フック取付部３１は、所定の間隔を隔てて配置された一対の板状部３１ａを含み、その一対の板状部３１ａの互いに対向する面には、それぞれ、フック部４の後述する軸部４３が遊嵌する支持穴３１ｂが形成されている。また、板状部３１ａの支持穴３１ｂの上側には、フック部４の軸部４３を支持穴３１ｂへ導入するための斜面状の導入部３１ｃが形成されている。フック部４をフック受部材３に上方から装着する際、フック部４の側面に突設された軸部４３がこの導入部３１ｃ上に沿って移動するとともに支持穴３１ｂに嵌め込まれる。係合部３２は、本体部１の支持軸１４ｂ（図４参照）に係合する部分であり、図９に示すようにフック状に形成されている。この係合部３２が本体部１の支持軸１４ｂに係合することにより、フック受部材３は本体部１の支持軸１４ｂ回りに回動可能となっている。
【００２９】
上記フック部４は、使用者が任意の箇所に引掛けるための部分であり、本体部１の支持部１４に上記フック受部材３を介して取り付けられる。このフック部４の基端側の軸部４１には、図１１に示すように、側方から見て円形の取付部４２が一体的に設けられている。そして、この取付部４２の両側面の中央には、図１０に示すように、フック受部材３の支持穴３１ｂに遊嵌する軸部４３がそれぞれ突設されている。この軸部４３の下半分は斜面状に形成されており、フック受部材３のフック取付部３１にフック部４を上方から装着する際、取付部４２を一対の板状部３１ａ間に挿入しやすくなっている。そして、フック部４は、軸部４３を中心としてフック受部材３に対して回動可能となっている。
【００３０】
本実施形態では、フック受部材３が本体部１の支持軸に回動可能に支持されているとともに、フック部４がその軸部４３を中心として回動可能にフック受部材３に取り付けられていることによって、フック部４は図３に示すように本体部１に沿って折畳み可能に構成されている。すなわち、フック部４、フック受部材３および本体部１が直線的に配置された状態から、フック受部材３を本体部１の長手方向に対して略垂直な状態まで回動させるとともに、フック部４をフック受部材３の長手方向に対して略垂直な状態まで回動させることによって、フック部４を本体部１に沿って折畳むことが可能となっている。
【００３１】
以上のような本実施形態のネクタイ用ハンガーによると、上記のように、ネクタイ掛部２が取付部２１の長手方向に沿って所定間隔で、かつ、側方へ延びるように突設された複数の掛棒２２を有しているので、この複数の掛棒２２のそれぞれに側方から個別にネクタイを差し込んだり抜いたりすることができる。これにより、多数のネクタイを容易に掛外しすることができる。また、ネクタイ掛部２が取付部２１の長手方向が本体部１の長手方向と揃うように配置される第１位置Ａと、取付部２１の長手方向が本体部１の長手方向に対して斜めに配置される第２位置Ｂ１（Ｂ２）との間で取付部２１の長手方向中央部に位置する軸部２４を中心として回動可能に構成されているので、ネクタイを掛けて衣装ケース等に収納する際にはネクタイ掛部２を第１位置Ａに配置して場所を取らないようにすることができる一方、ネクタイを掛外しする際にはネクタイ掛部２を第２位置Ｂ１（Ｂ２）に配置して各掛棒２２に掛けられたネクタイを分離させて、ネクタイを掛外ししやすくすることができる。さらに、ネクタイ掛部２を第２位置Ｂ１（Ｂ２）に配置することによって、各掛棒２２に掛けられたネクタイの位置を上下にずらすことができるので、正面から見て各掛棒２２に掛けられたネクタイが完全には重ならず、それらのネクタイの柄を見ることができる。このため、複数のネクタイを掛けた状態でもネクタイを選びやすくすることができる。
【００３２】
また、本実施形態では、ネクタイ掛部２が本体部１の両側面にそれぞれ取り付けられているので、より多くのネクタイを掛けることができる。また、一対のネクタイ掛部２は、それぞれ、第１位置Ａから第２位置Ｂ１（Ｂ２）へ互いに逆方向へ回動し、第２位置Ｂ１（Ｂ２）において互いの取付部２１の長手方向が交差するように配置されるので、一対のネクタイ掛部２がそれぞれ第２位置Ｂ１（Ｂ２）に配置されたときに重量バランスを取りやすくすることができる。
【００３３】
また、本実施形態では、上記第１位置Ａと第２位置Ｂ１（Ｂ２）との間の角度に応じた中心角を有する略円弧状の溝部１３ａ（１３ｂ）が本体部１に設けられているとともに、ネクタイ掛部２が第１位置Ａから第２位置Ｂ１（Ｂ２）へ回動する際、上記溝部１３ａ（１３ｂ）内をその端部に当接するまで移動する突起部２５ａ（２５ｂ）がネクタイ掛部２の取付部２１に設けられているので、ネクタイ掛部２を第１位置Ａから第２位置Ｂ１（Ｂ２）に回動させる際、突起部２５ａ（２５ｂ）が溝部１３ａ（１３ｂ）の端部に当接したときにネクタイ掛部２を停止させることができる。これにより、ネクタイ掛部２を第２位置Ｂ１（Ｂ２）で容易に停止させることができる。
【００３４】
また、本実施形態では、本体部１に凹部１５が設けられているとともに、ネクタイ掛部２にネクタイ掛部２が第１位置Ａに位置するときに凹部１５と係合する凸部２６が設けられているので、ネクタイ掛部２を第１位置Ａで容易に保持することができる。
【００３５】
また、本実施形態では、任意の箇所に引掛けるためのフック部４が設けられているので、使用者が任意の箇所にフック部４を引掛けることにより、ネクタイ用ハンガーを任意の場所へ持ち運んで使用することができる。さらに、そのフック部４が本体部１に沿うように折畳み可能に構成されているので、フック部４を折畳んでネクタイ用ハンガーをコンパクトにすることができる。これにより、フック部４が設けられていても、複数のネクタイ用ハンガーをまとめて保管しておく場合に場所を取るのを抑制することができる。
【００３６】
また、本実施形態では、掛棒２２との間でネクタイを挟持するネクタイ止部２３が設けられているので、ネクタイ止部２３により掛棒２２に掛けられたネクタイが脱落するのを抑制することができる。また、このネクタイ止部２３は、掛棒２２に対して所定の間隔を隔てて掛棒２２に沿って取付部２１の側方へ突設されているので、掛棒２２の側方からネクタイを掛棒２２に沿って差し込んだり抜いたりするのを阻害しない。これにより、ネクタイ止部２３が設けられていても、掛棒２２の側方からのネクタイの掛外しが阻害されないようにすることができる。
【００３７】
なお、本考案の範囲は、上記した実施形態に限定されるものではなく、本考案の要旨を逸脱しない範囲で種々の変更例を含む。
【００３８】
たとえば、上記実施形態において、フック部４を本体部１に対してその軸部４ａ回りに回動可能に構成してもよい。このように構成すれば、ネクタイ用ハンガーを任意の箇所に引掛けた状態で本体部１およびネクタイ掛部２の向きを自由に変えることができるので、使用者が望む方向からネクタイ掛部２に掛けたネクタイを選んだり、ネクタイを掛外しすることが容易になる。
【００３９】
また、上記実施形態では、本体部１に略円弧状の溝部１３ａ（１３ｂ）を設けるとともに、ネクタイ掛部２にその溝部１３ａ（１３ｂ）内を移動する突起部２５ａ（２５ｂ）を設けたが、本考案はこれに限らず、ネクタイ掛部２に溝部１３ａ（１３ｂ）を設けるとともに本体部１に突起部２５ａ（２５ｂ）を設けてもよい。
【００４０】
また、上記実施形態では、本体部１に凹部１５を設けるとともに、ネクタイ掛部２に第１位置においてその凹部１５と係合する凸部２６を設けたが、本考案はこれに限らず、ネクタイ掛部２に凹部１５を設けるとともに本体部１に凸部２６を設けてもよい。
【図面の簡単な説明】
【００４１】
【図１】本考案の一実施形態によるネクタイ用ハンガーの全体構成を示した斜視図である。
【図２】本考案の一実施形態によるネクタイ用ハンガーの全体構成を示した正面図である。
【図３】本考案の一実施形態によるネクタイ用ハンガーの全体構成を示した側面図である。
【図４】本考案の一実施形態によるネクタイ用ハンガーの本体部の正面図である。
【図５】図４に示したネクタイ用ハンガーの本体部の側面図である。
【図６】本考案の一実施形態によるネクタイ用ハンガーのネクタイ掛部の正面図である。
【図７】図６に示したネクタイ用ハンガーのネクタイ掛部の側面図である。
【図８】本考案の一実施形態によるネクタイ用ハンガーのフック受部材の正面図である。
【図９】図８に示したネクタイ用ハンガーのフック受部材の１００−１００線に沿った断面図である。
【図１０】本考案の一実施形態によるネクタイ用ハンガーのフック部の正面図である。
【図１１】図１０に示したネクタイ用ハンガーのフック部の側面図である。
【符号の説明】
【００４２】
１  本体部
２  ネクタイ掛部
４  フック部
１３ａ、１３ｂ  溝部
１５  凹部
２１  取付部
２２  掛棒
２３  ネクタイ止部
２５ａ、２５ｂ  突起部
２６  凸部
【図１】
0003118933.tif 000003
【図２】
0003118933.tif 000004
【図３】
0003118933.tif 000005
【図４】
0003118933.tif 000006
【図５】
0003118933.tif 000007
【図６】
0003118933.tif 000008
【図７】
0003118933.tif 000009
【図８】
0003118933.tif 000010
【図９】
0003118933.tif 000011
【図１０】
0003118933.tif 000012
【図１１】
0003118933.tif 000013